(57)【要約】【課題】電子機器の機能ブロックに電力が供給されている状態における消費電力を低減することが可能な電子機器を提供する。【解決手段】このＢＤレコーダ１００（電子機器）は、複数の機能ブロックと、複数の機能ブロックの使用状態が記憶されて蓄積される記憶部１８と、メインＭＣＵ１０とを備える。そして、メインＭＣＵ１０は、記憶部１８に蓄積された複数の機能ブロックの使用状態に基づいて複数の機能ブロックの使用傾向情報をそれぞれ取得するとともに、複数の機能ブロックのそれぞれの使用傾向情報に基づいて、少なくとも１つの機能ブロックに電力が供給されている状態において、複数の機能ブロックのうち所定の使用割合以下の不使用傾向の機能ブロックに供給される電力を停止する制御を行うように構成されている。【選択図】図２
2013210999.tif 000002
【特許請求の範囲】
【請求項１】
複数の機能ブロックと、
前記複数の機能ブロックの使用状態が記憶されて蓄積される記憶部と、
制御部とを備え、
前記制御部は、前記記憶部に蓄積された前記複数の機能ブロックの使用状態に基づいて前記複数の機能ブロックの使用傾向情報をそれぞれ取得するとともに、前記複数の機能ブロックのそれぞれの使用傾向情報に基づいて、少なくとも１つの機能ブロックに電力が供給されている状態において、前記複数の機能ブロックのうち所定の使用割合以下の不使用傾向の前記機能ブロックに供給される電力を停止する制御を行うように構成されている、電子機器。
【請求項２】
前記制御部は、機能の使用時間、機能の使用回数、機能の有効／無効、および、情報処理量のうち少なくとも１つに基づいて、前記複数の機能ブロックのそれぞれの使用傾向情報を取得することにより不使用傾向を判断するように構成されている、請求項１に記載の電子機器。
【請求項３】
前記制御部は、所定の期間において蓄積された前記複数の機能ブロックの使用状態、および、時間帯毎に蓄積された前記複数の機能ブロックの使用状態のうち少なくとも１つに基づいて、前記複数の機能ブロックのそれぞれの使用傾向情報を取得することにより不使用傾向を判断するように構成されている、請求項１または２に記載の電子機器。
【請求項４】
前記制御部は、前記複数の機能ブロックのうち、機能の使用時間、機能の使用頻度、機能の有効時間または有効頻度、および、情報処理量のうち少なくとも１つに関して所定の使用割合以下の不使用傾向の前記機能ブロックに供給される電力を停止する制御を行うように構成されている、請求項１〜３のいずれか１項に記載の電子機器。
【請求項５】
前記制御部は、前記複数の機能ブロックのそれぞれの使用傾向情報に基づいて、前記複数の機能ブロックのうち不使用傾向の前記機能ブロックを操作するためのユーザインターフェースの表示の優先度を低くする制御を行うように構成されている、請求項１〜４のいずれか１項に記載の電子機器。
【請求項６】
前記複数の機能ブロックに対応する複数の電源スイッチをさらに備え、
前記制御部は、前記電源スイッチを制御することにより、不使用傾向の前記機能ブロックに供給される電力を停止する制御を行うように構成されている、請求項１〜５のいずれか１項に記載の電子機器。
【請求項７】
前記制御部は、前記複数の機能ブロックのうち類似する２以上の機能ブロックに供給される電力を共通の前記電源スイッチを制御することにより停止する制御を行うように構成されている、請求項６に記載の電子機器。
【請求項８】
前記使用傾向情報をネットワークを介して外部のホストコンピュータに送信可能な通信部をさらに備える、請求項１〜７のいずれか１項に記載の電子機器。
【請求項９】
前記通信部は、前記使用傾向情報に基づく前記ホストコンピュータからの制御信号を受信可能に構成されており、
前記制御部は、前記通信部を介して受信した前記制御信号に基づいて、少なくとも１つの機能ブロックに電力が供給されている状態において、前記複数の機能ブロックのうち不使用傾向の前記機能ブロックに供給される電力を停止する制御を行うように構成されている、請求項８に記載の電子機器。
【請求項１０】
前記制御部は、前記複数の機能ブロックのそれぞれの使用状態に関する使用状況情報に基づいて、所定の使用状況に該当する前記機能ブロックをユーザに操作させるための通知を行うように構成されている、請求項１〜９のいずれか１項に記載の電子機器。
【請求項１１】
前記制御部は、前記複数の機能ブロックのそれぞれの使用状態を蓄積した結果に基づく使用傾向、または、前記複数の機能ブロックのそれぞれの使用状態のうち少なくとも１つに関する前記使用状況情報に基づいて、前記所定の使用状況に該当する前記機能ブロックをユーザに操作させるための通知を行うように構成されている、請求項１０に記載の電子機器。
【請求項１２】
前記所定の使用状況は、所定の使用割合、所定の使用時間、所定の使用頻度、放置状態、または、記録媒体の所定の使用状態のうちの少なくとも１つの状況を含む、請求項１０または１１に記載の電子機器。
【請求項１３】
前記制御部は、前記使用状況情報に基づいて、前記複数の機能ブロックのうち前記所定の使用状況としての所定の使用割合以下の不使用傾向の前記機能ブロックをユーザに停止させるための通知を行うように構成されている、請求項１２に記載の電子機器。
【請求項１４】
前記制御部は、前記機能ブロックをユーザに操作させるための通知情報を外部の表示装置に出力する制御を行うように構成されている、請求項１０〜１３のいずれか１項に記載の電子機器。
【請求項１５】
前記機能ブロックをユーザに操作させるための通知は、表示による通知を含み、
前記制御部は、前記所定の使用状況の機能ブロックを操作するための案内を表示する制御を行うように構成されている、請求項１０〜１４のいずれか１項に記載の電子機器。
【請求項１６】
前記制御部は、前記複数の機能ブロックのそれぞれの前記使用状況情報に基づいて、前記機能ブロックをユーザに操作させるための通知を行うとともに、前記所定の使用状況に該当する前記機能ブロックを停止する制御を行うように構成されている、請求項１０〜１５のいずれか１項に記載の電子機器。
【請求項１７】
前記制御部は、前記複数の機能ブロックのそれぞれの前記使用状況情報に基づいて、機能ブロック毎の使用状況、消費電力、電気料金または寿命のうち少なくとも１つをユーザに通知するように構成されている、請求項１０〜１６のいずれか１項に記載の電子機器。
【請求項１８】
前記複数の機能ブロックのそれぞれの前記使用状況情報が前記記憶部に記憶されて蓄積されるように構成されており、
前記制御部は、前記記憶部に前記使用状況情報を記憶させて蓄積させるとともに、前記記憶部に蓄積された前記使用状況情報に基づいて、前記機能ブロックをユーザに操作させるための通知を行うように構成されている、請求項１０〜１７のいずれか１項に記載の電子機器。
【請求項１９】
電子機器と、
前記電子機器にネットワークを介して接続されたホストコンピュータとを備え、
前記電子機器は、
複数の機能ブロックと、
前記複数の機能ブロックの使用状態が記憶されて蓄積される記憶部と、
制御部とを含み、
前記制御部は、前記記憶部に蓄積された前記複数の機能ブロックの使用状態に基づいて前記複数の機能ブロックの使用傾向情報をそれぞれ取得するとともに、前記複数の機能ブロックのそれぞれの使用傾向情報に基づいて、少なくとも１つの機能ブロックに電力が供給されている状態において、前記複数の機能ブロックのうち所定の使用割合以下の不使用傾向の前記機能ブロックに供給される電力を停止する制御を行うように構成されている、電源制御システム。
【請求項２０】
前記電子機器は、前記使用傾向情報をネットワークを介して前記ホストコンピュータに送信可能であるとともに、前記使用傾向情報に基づく前記ホストコンピュータからの制御信号を受信可能な通信部をさらに含み、
前記制御部は、前記通信部を介して受信した前記制御信号に基づいて、少なくとも１つの機能ブロックに電力が供給されている状態において、前記複数の機能ブロックのうち不使用傾向の前記機能ブロックに供給される電力を停止する制御を行うように構成されている、請求項１９に記載の電源制御システム。
【発明の詳細な説明】
【技術分野】
【０００１】
この発明は、電子機器および電源制御システムに関し、特に、複数の機能ブロックを備えた電子機器および電源制御システムに関する。
【背景技術】
【０００２】
従来、複数の機能ブロックを備えた電子機器が知られている（たとえば、特許文献１参照）。
【０００３】
上記特許文献１には、コピー機能、ファクシミリ機能、プリンタ機能およびスキャナ機能（複数の機能ブロック）と、通常モードおよび省電力モードなどの動作モードに応じて供給する電力の制御を行うＣＰＵ（制御部）とを備える複合機（電子機器）が開示されている。この複合機では、ＣＰＵは、ネットワーク上の複数のクライアントコンピュータおよび他の複合機の動作状態に基づいて供給する電力量を低減させる制御を行って待機状態となる省電力モードに移行する制御を行うように構成されている。
【先行技術文献】
【特許文献】
【０００４】
【特許文献１】特開２０１１−６５４９４号公報
【発明の概要】
【発明が解決しようとする課題】
【０００５】
しかしながら、上記特許文献１の複合機（電子機器）では、待機状態となる省電力モードにおいては、供給される電力量を低減させて消費電力を低減することができるものの、各機能に電力が供給されている通常モードでは、供給される電力量を低減させないので、消費電力を低減することが困難であるという問題点がある。
【０００６】
この発明は、上記のような課題を解決するためになされたものであり、この発明の１つの目的は、電子機器の機能ブロックに電力が供給されている状態における消費電力を低減することが可能な電子機器および電源制御システムを提供することである。
【課題を解決するための手段】
【０００７】
この発明の第１の局面による電子機器は、複数の機能ブロックと、複数の機能ブロックの使用状態が記憶されて蓄積される記憶部と、制御部とを備え、制御部は、記憶部に蓄積された複数の機能ブロックの使用状態に基づいて複数の機能ブロックの使用傾向情報をそれぞれ取得するとともに、複数の機能ブロックのそれぞれの使用傾向情報に基づいて、少なくとも１つの機能ブロックに電力が供給されている状態において、複数の機能ブロックのうち所定の使用割合以下の不使用傾向の機能ブロックに供給される電力を停止する制御を行うように構成されている。
【０００８】
この発明の第１の局面による電子機器では、上記のように、少なくとも１つの機能ブロックに電力が供給されている状態において、複数の機能ブロックのうち所定の使用割合以下の不使用傾向の機能ブロックに供給される電力を停止する制御を行う制御部を設けることによって、使用傾向の機能ブロックには電力を供給しつつ、不使用傾向の機能ブロックには電力の供給を停止することができるので、電子機器の機能ブロックに電力が供給されている状態における消費電力を低減することができる。また、少なくとも１つの機能ブロックに電力が供給されている状態において、ユーザが所定の使用割合以下しか使用しない機能の機能ブロックに供給される電力を停止させることができるので、ユーザの利便性を下げることなく、電子機器の消費電力を低減することができる。また、プログラムを展開して機能ブロックを起動させる構成において、不使用傾向の機能ブロックが起動されないので、プログラムの展開領域を使用傾向の他の機能ブロックに開放することができ、その結果、制御部の処理負担を軽減させることができる。また、不使用傾向の機能ブロックに電力が供給されないので、通電による発熱を軽減させることができる。これにより、電子機器の寿命を延ばすことができる。また、記憶部に蓄積された複数の機能ブロックの使用状態に基づいて複数の機能ブロックの使用傾向情報をそれぞれ取得するように制御部を構成することによって、記憶部に蓄積された複数の機能ブロックの使用状態に基づいて複数の機能ブロックの使用傾向情報をそれぞれ容易に取得することができる。
【０００９】
上記第１の局面による電子機器において、好ましくは、制御部は、機能の使用時間、機能の使用回数、機能の有効／無効、および、情報処理量のうち少なくとも１つに基づいて、複数の機能ブロックのそれぞれの使用傾向情報を取得することにより不使用傾向を判断するように構成されている。このように構成すれば、機能の使用時間、機能の使用回数、機能の有効／無効、または、情報処理量に基づいて、実際のユーザの使用状態に応じた不使用傾向を容易に判断することができる。
【００１０】
上記第１の局面による電子機器において、好ましくは、制御部は、所定の期間において蓄積された複数の機能ブロックの使用状態、および、時間帯毎に蓄積された複数の機能ブロックの使用状態のうち少なくとも１つに基づいて、複数の機能ブロックのそれぞれの使用傾向情報を取得することにより不使用傾向を判断するように構成されている。このように構成すれば、所定の期間において蓄積された複数の機能ブロックの使用状態、または、時間帯毎に蓄積された複数の機能ブロックの使用状態に基づいて、実際のユーザの使用状態に応じた不使用傾向を精度よく判断することができる。
【００１１】
上記第１の局面による電子機器において、好ましくは、制御部は、複数の機能ブロックのうち、機能の使用時間、機能の使用頻度、機能の有効時間または有効頻度、および、情報処理量のうち少なくとも１つに関して所定の使用割合以下の不使用傾向の機能ブロックに供給される電力を停止する制御を行うように構成されている。このように構成すれば、機能の使用時間、機能の使用頻度、機能の有効時間または有効頻度、および、情報処理量に関して所定の使用割合以下の不使用傾向の機能ブロックには電力の供給を停止することができるので、ユーザの利便性を下げることなく、電子機器の機能ブロックに電力が供給されている状態における消費電力を容易に低減することができる。
【００１２】
上記第１の局面による電子機器において、好ましくは、制御部は、複数の機能ブロックのそれぞれの使用傾向情報に基づいて、複数の機能ブロックのうち不使用傾向の機能ブロックを操作するためのユーザインターフェースの表示の優先度を低くする制御を行うように構成されている。このように構成すれば、不使用傾向の機能ブロックを操作するためのユーザインターフェースの表示が隠す等されて目立たないように整理されるので、使用傾向の機能ブロックを操作するためのユーザインターフェースにユーザがアクセスしやすくすることができる。これにより、ユーザが必要な情報に容易にアクセスすることができる。
【００１３】
上記第１の局面による電子機器において、好ましくは、複数の機能ブロックに対応する複数の電源スイッチをさらに備え、制御部は、電源スイッチを制御することにより、不使用傾向の機能ブロックに供給される電力を停止する制御を行うように構成されている。このように構成すれば、電源スイッチを制御することにより、不使用傾向の機能ブロックに供給される電力を容易に停止させることができる。
【００１４】
この場合、好ましくは、制御部は、複数の機能ブロックのうち類似する２以上の機能ブロックに供給される電力を共通の電源スイッチを制御することにより停止する制御を行うように構成されている。このように構成すれば、類似する２以上の機能ブロックに対して共通の電源スイッチを設けることができるので、各々の機能ブロックに対して個別に電源スイッチを設ける場合に比べて電子機器の構成を簡素化することができる。
【００１５】
上記第１の局面による電子機器において、好ましくは、使用傾向情報をネットワークを介して外部のホストコンピュータに送信可能な通信部をさらに備える。このように構成すれば、電子機器の使用傾向情報が外部のホストコンピュータに収集されるので、ホストコンピュータが電子機器の使用傾向を分析した結果を次世代の電子機器の開発にフィードバックすることができる。
【００１６】
この場合、好ましくは、通信部は、使用傾向情報に基づくホストコンピュータからの制御信号を受信可能に構成されており、制御部は、通信部を介して受信した制御信号に基づいて、少なくとも１つの機能ブロックに電力が供給されている状態において、複数の機能ブロックのうち不使用傾向の機能ブロックに供給される電力を停止する制御を行うように構成されている。このように構成すれば、ホストコンピュータに接続された複数の電子機器の不使用傾向の機能ブロックに供給される電力を停止する制御をホストコンピュータにより一元管理することができるので、複数の電子機器の消費電力を効果的に低減することができる。
【００１７】
上記第１の局面による電子機器において、好ましくは、制御部は、複数の機能ブロックのそれぞれの使用状態に関する使用状況情報に基づいて、所定の使用状況に該当する機能ブロックをユーザに操作させるための通知を行うように構成されている。このように構成すれば、ユーザは通知に基づいて、機能ブロック毎の使用を停止または抑制することができるので、電子機器内での省電力化を図ることができる。また、通知に基づいてユーザが操作することができるので、ユーザの省電力化に対する意識を向上させることができるとともに、ユーザの意図に反する設定変更を抑制することができる。
【００１８】
上記機能ブロックをユーザに操作させるための通知を行う構成において、好ましくは、制御部は、複数の機能ブロックのそれぞれの使用状態を蓄積した結果に基づく使用傾向、または、複数の機能ブロックのそれぞれの使用状態のうち少なくとも１つに関する使用状況情報に基づいて、所定の使用状況に該当する機能ブロックをユーザに操作させるための通知を行うように構成されている。このように構成すれば、制御部により使用傾向または使用状態を判断して所定の使用状況に該当する機能ブロックをユーザに操作させるための通知を容易に行うことができる。
【００１９】
上記機能ブロックをユーザに操作させるための通知を行う構成において、好ましくは、所定の使用状況は、所定の使用割合、所定の使用時間、所定の使用頻度、放置状態、または、記録媒体の所定の使用状態のうちの少なくとも１つの状況を含む。このように構成すれば、所定の使用状況としての所定の使用割合、所定の使用時間、所定の使用頻度、放置状態、または、記録媒体の所定の使用状態に該当する機能ブロックをユーザに操作させるための通知をより適切に行うことができる。
【００２０】
この場合、好ましくは、制御部は、使用状況情報に基づいて、複数の機能ブロックのうち所定の使用状況としての所定の使用割合以下の不使用傾向の機能ブロックをユーザに停止させるための通知を行うように構成されている。このように構成すれば、ユーザにより不使用傾向の機能ブロックを容易に停止させることができるので、ユーザの利便性を低下させることなく、電子機器内での省電力化を図ることができる。
【００２１】
上記機能ブロックをユーザに操作させるための通知を行う構成において、好ましくは、制御部は、機能ブロックをユーザに操作させるための通知情報を外部の表示装置に出力する制御を行うように構成されている。このように構成すれば、外部の表示装置を用いて電子機器内での省電力化を視覚的にユーザに促すことができる。
【００２２】
上記機能ブロックをユーザに操作させるための通知を行う構成において、好ましくは、機能ブロックをユーザに操作させるための通知は、表示による通知を含み、制御部は、所定の使用状況の機能ブロックを操作するための案内を表示する制御を行うように構成されている。このように構成すれば、ユーザにとって所定の使用状況の機能ブロックを操作しやすくなるので、機能ブロック毎の設定をユーザが容易に行うことができる。これにより、電子機器内での省電力化を容易に図ることができる。
【００２３】
上記機能ブロックをユーザに操作させるための通知を行う構成において、好ましくは、制御部は、複数の機能ブロックのそれぞれの使用状況情報に基づいて、機能ブロックをユーザに操作させるための通知を行うとともに、所定の使用状況に該当する機能ブロックを停止する制御を行うように構成されている。このように構成すれば、所定の使用状況に該当する機能ブロックをユーザに認知させるとともに、機能ブロックを停止させて電子機器内での省電力化を図ることができる。また、所定の使用状況に該当する機能ブロックが停止されるので、通電による発熱を軽減させることができる。これにより、電子機器の寿命を延ばすことができる。
【００２４】
上記機能ブロックをユーザに操作させるための通知を行う構成において、好ましくは、制御部は、複数の機能ブロックのそれぞれの使用状況情報に基づいて、機能ブロック毎の使用状況、消費電力、電気料金または寿命のうち少なくとも１つをユーザに通知するように構成されている。このように構成すれば、機能ブロック毎の使用状況、消費電力、電気料金または寿命を通知して電子機器の省電力化を効果的にユーザに促すことができる。
【００２５】
上記機能ブロックをユーザに操作させるための通知を行う構成において、好ましくは、複数の機能ブロックのそれぞれの使用状況情報が記憶部に記憶されて蓄積されるように構成されており、制御部は、記憶部に使用状況情報を記憶させて蓄積させるとともに、記憶部に蓄積された使用状況情報に基づいて、機能ブロックをユーザに操作させるための通知を行うように構成されている。このように構成すれば、記憶部に蓄積された複数の機能ブロックの使用状況情報に基づいて、機能ブロックをユーザに操作させるための通知を容易に行うことができる。
【００２６】
この発明の第２の局面による電源制御システムは、電子機器と、電子機器にネットワークを介して接続されたホストコンピュータとを備え、電子機器は、複数の機能ブロックと、複数の機能ブロックの使用状態が記憶されて蓄積される記憶部と、制御部とを含み、制御部は、記憶部に蓄積された複数の機能ブロックの使用状態に基づいて複数の機能ブロックの使用傾向情報をそれぞれ取得するとともに、複数の機能ブロックのそれぞれの使用傾向情報に基づいて、少なくとも１つの機能ブロックに電力が供給されている状態において、複数の機能ブロックのうち所定の使用割合以下の不使用傾向の機能ブロックに供給される電力を停止する制御を行うように構成されている。
【００２７】
この発明の第２の局面による電源制御システムでは、上記のように、少なくとも１つの機能ブロックに電力が供給されている状態において、複数の機能ブロックのうち所定の使用割合以下の不使用傾向の機能ブロックに供給される電力を停止する制御を行う制御部を設けることによって、使用傾向の機能ブロックには電力を供給しつつ、不使用傾向の機能ブロックには電力の供給を停止することができるので、電子機器の機能ブロックに電力が供給されている状態における消費電力を低減することができる。また、少なくとも１つの機能ブロックに電力が供給されている状態において、ユーザが所定の使用割合以下しか使用しない機能の機能ブロックに供給される電力を停止させることができるので、ユーザの利便性を下げることなく、電子機器の消費電力を低減することができる。また、プログラムを展開して機能ブロックを起動させる構成において、不使用傾向の機能ブロックが起動されないので、プログラムの展開領域を使用傾向の他の機能ブロックに開放することができ、その結果、制御部の処理負担を軽減させることができる。また、不使用傾向の機能ブロックに電力が供給されないので、通電による発熱を軽減させることができる。これにより、電子機器の寿命を延ばすことができる。また、記憶部に蓄積された複数の機能ブロックの使用状態に基づいて複数の機能ブロックの使用傾向情報をそれぞれ取得するように制御部を構成することによって、記憶部に蓄積された複数の機能ブロックの使用状態に基づいて複数の機能ブロックの使用傾向情報をそれぞれ容易に取得することができる。
【００２８】
上記第２の局面による電源制御システムにおいて、好ましくは、電子機器は、使用傾向情報をネットワークを介してホストコンピュータに送信可能であるとともに、使用傾向情報に基づくホストコンピュータからの制御信号を受信可能な通信部をさらに含み、制御部は、通信部を介して受信した制御信号に基づいて、少なくとも１つの機能ブロックに電力が供給されている状態において、複数の機能ブロックのうち不使用傾向の機能ブロックに供給される電力を停止する制御を行うように構成されている。このように構成すれば、電子機器の使用傾向情報が外部のホストコンピュータに収集されるので、ホストコンピュータが電子機器の使用傾向を分析した結果を次世代の電子機器の開発にフィードバックすることができる。また、ホストコンピュータに接続された複数の電子機器の不使用傾向の機能ブロックに供給される電力を停止する制御をホストコンピュータにより一元管理することができるので、複数の電子機器の消費電力を効果的に低減することができる。
【発明の効果】
【００２９】
本発明によれば、上記のように、電子機器の機能ブロックに電力が供給されている状態における消費電力を低減することができる。
【図面の簡単な説明】
【００３０】
【図１】本発明の第１実施形態による電源制御システムの概略を示した全体図である。
【図２】本発明の第１実施形態によるＢＤレコーダを示したブロック図である。
【図３】本発明の第１実施形態によるＢＤレコーダのメインＭＣＵによる消費電力低減処理を説明するためのフローチャートである。
【図４】本発明の第１実施形態によるＢＤレコーダのユーザインターフェースの表示を説明するための図である。
【図５】本発明の第２実施形態による電子機器管理システムの概略を示した全体図である。
【図６】本発明の第２実施形態によるＢＤレコーダを示したブロック図である。
【図７】本発明の第２実施形態によるＢＤレコーダのメインＭＣＵによる使用状況情報処理を説明するためのフローチャートである。
【図８】本発明の第２実施形態によるＢＤレコーダのＴＶによる表示の第１表示例を示した図である。
【図９】本発明の第２実施形態によるＢＤレコーダのＴＶによる表示の第２表示例を示した図である。
【図１０】本発明の第２実施形態によるＢＤレコーダのＴＶによる表示の第３表示例を示した図である。
【発明を実施するための形態】
【００３１】
以下、本発明の実施形態を図面に基づいて説明する。
【００３２】
（第１実施形態）
まず、図１を参照して、本発明の第１実施形態による電源制御システム１の構成について説明する。
【００３３】
電源制御システム１は、図１に示すように、ホストコンピュータ２および３と、サーバ４、５、６および７と、無線中継基地８と、アンテン９と、複数のＢＤ（ブルーレイディスク）レコーダ１００とを備えている。なお、ＢＤレコーダ１００は、本発明の「電子機器」の一例である。
【００３４】
ホストコンピュータ２は、ネットワークを介して、ホストコンピュータ３と、Ａ国内のサーバ４と、Ｂ国内のサーバ７とに接続可能に構成されている。ホストコンピュータ３は、ネットワークを介して、Ｂ国内のサーバ７に接続可能に構成されている。また、ホストコンピュータ２および３は、ネットワークを介してＢＤレコーダ１００から後述する使用傾向情報を受信可能に構成されている。また、ホストコンピュータ２および３は、ＢＤレコーダ１００から受信した使用傾向情報を分析可能に構成されている。また、ホストコンピュータ２および３は、使用傾向情報の分析結果に基づいて、ネットワークを介してＢＤレコーダ１００に制御信号を送信可能に構成されている。また、ホストコンピュータ２および３は、国または地域ごとに制御信号を一括送信することが可能に構成されている。これにより、ホストコンピュータ２および３により、国または地域ごとに一括してＢＤレコーダ１００に制御信号を送信して、ＢＤレコーダ１００の機能ブロック毎に供給される電力を切断することが可能である。その結果、国または地域単位で節電が要請される場合に、一斉に国または地域の消費電力を低減することが可能である。
【００３５】
サーバ４〜７は、ネットワーク内に設けられている。サーバ４は、Ａ国内に設けられている。また、サーバ４には、ネットワークを介して、サーバ５および６が接続されている。サーバ５は、Ａ国内の地域Ａ内に設けられている。また、サーバ５には、Ａ国内の地域Ａ内のＢＤレコーダ１００が接続されている。サーバ６は、Ａ国内の地域Ｂ内に設けられている。また、サーバ６には、Ａ国内の地域Ｂの無線中継基地８およびアンテナ９を介して、Ａ国内の地域Ｂ内のＢＤレコーダ１００が接続されている。サーバ７は、Ｂ国内に設けられている。また、サーバ７には、Ｂ国内のＢＤレコーダ１００が接続されている。これにより、複数のＢＤレコーダ１００は、ネットワークを介してそれぞれホストコンピュータ２および３に接続されている。
【００３６】
次に、図２を参照して、本発明の第１実施形態によるＢＤレコーダ１００の構成について説明する。
【００３７】
ＢＤレコーダ１００は、図２に示すように、メインＭＣＵ（マイクロコントローラユニット）１０と、記憶部１８と、メモリブロック２０とを備えている。また、ＢＤレコーダ１００は、機能毎にブロック化された機能ブロックとして、ＨＤＤ（ハードディスクドライブ）装置ブロック３０と、ＤＩＳＣ装置ブロック４０と、チューナブロック５０と、ＣＥＣブロック６０と、イーサネット（登録商標）ブロック７０と、オーディオＤＡＣブロック８０と、ゲイン・フィルタブロック８２と、ビデオブロック９０および９１とを備えている。なお、メインＭＣＵ１０は、本発明の「制御部」の一例である。また、ＨＤＤ装置ブロック３０、ＤＩＳＣ装置ブロック４０、チューナブロック５０、ＣＥＣブロック６０、イーサネット（登録商標）ブロック７０、オーディオＤＡＣブロック８０、ゲイン・フィルタブロック８２、ビデオブロック９０および９１は、本発明の「機能ブロック」の一例である。また、イーサネット（登録商標）ブロック７０は、本発明の「通信部」の一例である。
【００３８】
また、ＢＤレコーダ１００には、ＭＣＵ電源１７と、ＨＤＤ電源３１と、ＤＩＳＣ電源４１と、チューナ電源５１と、ＣＥＣ電源６１と、イーサネット（登録商標）電源７１と、オーディオ電源８１および８３と、ビデオ電源９２とが設けられている。また、ＢＤレコーダ１００には、トランジスタにより構成された電源スイッチ３０ａ、４０ａ、５２ａ、５３ａ、５４ａ、６０ａ、７０ａ、８０ａ、８２ａおよび９０ａが設けられている。また、ＢＤレコーダ１００には、ケーブル検知部９３が設けられている。
【００３９】
なお、第１実施形態のＢＤレコーダ１００は、電源ＯＮ状態、機能動作状態、待機状態、クイックスタート待機状態、待機中の録画状態および電源ＯＦＦ状態を含む動作モード状態に切り替え可能に構成されている。電源ＯＮ状態は、ＢＤレコーダ１００の主電源がＯＮにされ各機能ブロックの起動処理が完了した状態である。機能動作状態は、機能ブロックが機能している状態である。たとえば、ＤＩＳＣ装置ブロック４０がＤＩＳＣを再生して機能している状態などである。待機状態は、タイマーやリモコンの受光部などの最低限の機能が維持されているスタンバイ状態である。クイックスタート待機状態は、ユーザの操作を受付けた場合などに直ちに電源ＯＮ状態にすることができる状態である。具体的には、ＨＤＤ装置ブロック３０などの一部の機能ブロックが起動されているスタンバイ状態である。待機中の録画状態は、録画に必要な機能ブロックが起動されて待機中に録画をしている状態である。電源ＯＦＦ状態は、主電源がＯＦＦにされてすべての機能ブロックに電力が供給されていない状態である。なお、電源ＯＮ状態、機能動作状態、待機状態、クイックスタート待機状態および待機中の録画状態は、ＢＤレコーダ１００の少なくとも１つの機能ブロックに電力が供給されている状態である。
【００４０】
メインＭＣＵ１０は、図２に示すように、中央演算ブロック１１と、制御ブロック１２と、ＭＣＵ電源ブロック１３と、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ブロック１４と、ビデオブロック１５および１６とを含む。また、メインＭＣＵ１０には、電源スイッチ１４ａ、１５ａおよび１６ａが設けられている。なお、ＨＤＭＩブロック１４、ビデオブロック１５および１６は、本発明の「機能ブロック」の一例である。
【００４１】
中央演算ブロック１１は、ＢＤレコーダ１００の各部を制御するように構成されている。具体的には、中央演算ブロック１１は、メモリブロック２０の領域を使用して各種プログラムを展開してＢＤレコーダ１００の各部を制御するように構成されている。また、中央演算ブロック１１は、映像を録画再生するために、映像信号をデコードおよびエンコードするように構成されている。また、中央演算ブロック１１は、ＨＤＭＩブロック１４を介してデジタルの画像、音声などの情報を含むＨＤＭＩ信号を送受信するように構成されている。また、中央演算ブロック１１は、ＨＤＭＩブロック１４およびＣＥＣブロック６０を介して他の機器と連携するための制御信号を含むＣＥＣ（Ｃｏｎｓｕｍｅｒ  Ｅｌｅｃｔｒｏｎｉｃｓ  Ｃｏｎｔｒｏｌ）信号を送受信するように構成されている。
【００４２】
また、中央演算ブロック１１は、ビデオブロック１５および９０を介してアナログ画像のコンポジット信号を送受信するように構成されている。また、中央演算ブロック１１は、ビデオブロック１６および９１を介してアナログ画像のコンポーネント信号を送受信するように構成されている。また、中央演算ブロック１１は、オーディオＤＡＣブロック８０およびゲイン・フィルタブロック８２を介してアナログオーディオ信号を送受信するように構成されている。
【００４３】
ここで、第１実施形態では、中央演算ブロック１１は、制御ブロック１２を制御して、電源スイッチ１４ａ、１５ａ、１６ａ、３０ａ、４０ａ、５２ａ、５３ａ、５４ａ、６０ａ、７０ａ、８０ａ、８２ａおよび９０ａのＯＮ／ＯＦＦを切り替えて各機能ブロックに供給される電力を制御するように構成されている。たとえば、図２に示す例では、中央演算ブロック１１は、電源スイッチ１４ａ、３０ａおよび５４ａをＯＮにする制御を行っている。これにより、ＨＤＭＩブロック１４、ＨＤＤ装置ブロック３０およびチューナブロック５０の地上デジタルブロック５４にそれぞれ電力が供給されている。一方、中央演算ブロック１１は、電源スイッチ１５ａ、１６ａ、４０ａ、５２ａ、５３ａ、６０ａ、７０ａ、８０ａ、８２ａおよび９０ａをＯＦＦにする制御を行っている。これにより、図２に示すように、網掛け（ハッチング）されているビデオブロック１５、１６、ＤＩＳＣ装置ブロック４０、チューナブロック５０のＢＳブロック５２、チューナブロック５０のＣＳブロック５３、ＣＥＣブロック６０、イーサネット（登録商標）ブロック７０、オーディオＤＡＣブロック８０、ゲイン・フィルタブロック８２、ビデオブロック９０および９１に供給される電力が停止されている。
【００４４】
また、中央演算ブロック１１は、機能ブロックの機能している時間、機能ブロックの使用回数、機能ブロックの有効／無効、または機能ブロックの情報処理量に基づいて機能ブロックのそれぞれの使用傾向情報を取得するように構成されている。具体的には、中央演算ブロック１１は、ＨＤＤ装置ブロック３０およびチューナブロック５０の機能している時間に基づいてＨＤＤ装置ブロック３０およびチューナブロック５０のそれぞれの使用傾向情報を取得するように構成されている。また、中央演算ブロック１１は、ＤＩＳＣ装置ブロック４０のＤＩＳＣの再生回数に基づいてＤＩＳＣ装置ブロック４０の使用傾向情報を取得するように構成されている。
【００４５】
また、中央演算ブロック１１は、ビデオブロック１５、１６、オーディオＤＡＣブロック８０、ゲイン・フィルタブロック８２、ビデオブロック９０および９１にそれぞれ接続されるケーブルの有無を、ケーブル検知部９３により検知して、ビデオブロック１５、１６、オーディオＤＡＣブロック８０、ゲイン・フィルタブロック８２、ビデオブロック９０および９１の機能の有効／無効を判断して、それぞれの使用傾向情報を取得するように構成されている。また、中央演算ブロック１１は、チューナブロック５０に接続されるアンテナの有無を検知して、チューナブロック５０の機能の有効／無効を判断して、使用傾向情報を取得するように構成されている。また、中央演算ブロック１１は、ＨＤＭＩブロック１４、ＣＥＣブロック６０およびイーサネット（登録商標）ブロック７０のデータ通信量（情報処理量）に基づいてＨＤＭＩブロック１４、ＣＥＣブロック６０およびイーサネット（登録商標）ブロック７０のそれぞれの使用傾向情報を取得するように構成されている。
【００４６】
また、中央演算ブロック１１は、複数の機能ブロックの使用状態を記憶部１８に蓄積して記憶させるように構成されている。具体的には、中央演算ブロック１１は、機能ブロックの機能している時間、機能ブロックの使用回数、機能ブロックの有効／無効、または機能ブロックの情報処理量を記憶部１８に蓄積して記憶させるように構成されている。また、中央演算ブロック１１は、記憶部１８に蓄積された複数の機能ブロックの使用状態に基づいて複数の機能ブロックの使用傾向情報をそれぞれ取得するように構成されている。
【００４７】
また、中央演算ブロック１１は、所定の期間（たとえば、１週間）において蓄積された複数の機能ブロックの使用状態に基づいて複数の機能ブロックの使用傾向情報をそれぞれ取得するように構成されている。また、中央演算ブロック１１は、所定の時間帯（たとえば、午前／午後／深夜、または、平日／休日など）において蓄積された複数の機能ブロックの使用状態に基づいて複数の機能ブロックの使用傾向情報をそれぞれ取得するように構成されている。
【００４８】
また、第１実施形態では、中央演算ブロック１１は、複数の機能ブロックのそれぞれの使用傾向情報に基づいて、ＢＤレコーダ１００の少なくとも１つの機能ブロックに電力が供給されている状態において、複数の機能ブロックのうち所定の使用割合以下の不使用傾向の機能ブロックに供給される電力を停止する制御を行うように構成されている。具体的には、中央演算ブロック１１は、記憶部１８に蓄積された機能ブロックのそれぞれの使用傾向情報に基づいて、一定の割合の時間以下の機能時間の機能ブロック、一定の割合以下の使用頻度の機能ブロック、ケーブルの接続が一定の割合以下の有効時間または有効頻度の機能ブロック、および、一定の割合以下の情報処理量の機能ブロックに供給される電力を停止する制御を行うように構成されている。なお、不使用傾向とは、全く使用していない状態のみならず、所定の割合以下で使用割合が低い傾向の状態も含む。
【００４９】
また、中央演算ブロック１１は、複数の機能ブロックのそれぞれの使用傾向情報に基づいたホストコンピュータからの制御信号に基づいて、ＢＤレコーダ１００の少なくとも１つの機能ブロックに電力が供給されている状態において、不使用傾向の機能ブロックに供給される電力を停止する制御を行うように構成されている。
【００５０】
また、中央演算ブロック１１は、複数の機能ブロックのそれぞれの使用傾向情報に基づいて、ＢＤレコーダ１００の少なくとも１つの機能ブロックに電力が供給されている状態において、複数の機能ブロックのうち所定の使用割合以下の不使用傾向の機能ブロックを制御するためのプログラムの展開を制御するように構成されている。具体的には、中央演算ブロック１１は、不使用傾向の機能ブロックを制御するためのプログラムを展開しない、または、プリプログラムのみを展開する制御を行うように構成されている。
【００５１】
また、中央演算ブロック１１は、複数の機能ブロックのそれぞれの使用傾向情報に基づいて、不使用傾向の機能ブロックを操作するためのユーザインターフェースの表示の優先度を低くする制御を行うように構成されている。具体的には、中央演算ブロック１１は、不使用傾向の機能ブロックのユーザインターフェースの表示を非表示、グレー表示、階層を下げた表示、または、詳細設定グループとして表示する制御を行う。一方、中央演算ブロック１１は、使用傾向の機能ブロックのユーザインターフェースの表示を強調表示、階層を上げた表示、または、デフォルト表示にする制御を行う。たとえば、中央演算ブロック１１は、図４に示すように、使用傾向のＨＤＤ装置ブロック３０のユーザインターフェースの表示を強調表示する制御を行う。また、中央演算ブロック１１は、不使用傾向のＤＩＳＣ装置ブロック４０のユーザインターフェースをグレー表示し、不使用傾向のＣＥＣブロック６０、ビデオブロック１５、１６、９０および９１などのユーザインターフェースを詳細設定の下位の階層グループに表示する制御を行う。これにより、ユーザがよく使用する使用傾向の機能ブロックが操作しやすいようにユーザインターフェースが整理される。
【００５２】
ＭＣＵ電源ブロック１３は、ＭＣＵ電源１７から供給される電力を制御するように構成されている。また、ＭＣＵ電源ブロック１３は、電源スイッチ１４ａ、１５ａおよび１６ａをそれぞれ介して、ＨＤＭＩブロック１４、ビデオブロック１５および１６に、電力を供給するように構成されている。
【００５３】
記憶部１８は、不揮発性メモリにより構成されており、複数の機能ブロックの使用状態を記憶して蓄積するように構成されている。
【００５４】
メモリブロック２０は、揮発性メモリにより構成されており、機能ブロックを制御するためのプログラムを展開可能に構成されている。また、メモリブロック２０は、図２に示すように、バックエンド２１と、フロントエンド２２とを含む。バックエンド２１では、アナログ制御プログラム２１１と、イーサネット（登録商標）制御プログラム２１２と、ＨＤＭＩ制御プログラム２１３とが展開可能に構成されている。ＨＤＭＩ制御プログラム２１３は、ＣＥＣ制御プログラム２１３ａを含む。フロントエンド２２では、ＤＩＳＣ制御プログラム２２１と、ＨＤＤ制御プログラム２２２とが展開可能に構成されている。
【００５５】
アナログ制御プログラム２１１は、ビデオブロック１５および１６と、オーディオＤＡＣブロック８０と、ゲイン・フィルタブロック８２と、ビデオブロック９０および９１とを制御するために使用される。イーサネット（登録商標）制御プログラム２１２は、イーサネット（登録商標）ブロック７０を制御するために使用される。ＨＤＭＩ制御プログラム２１３は、ＨＤＭＩブロック１４を制御するために使用される。ＣＥＣ制御プログラム２１３ａは、ＣＥＣブロック６０を制御するために使用される。
【００５６】
ＤＩＳＣ制御プログラム２２１は、ＤＩＳＣ装置ブロック４０を制御するために使用される。ＨＤＤ制御プログラム２２２は、ＨＤＤ装置ブロック３０を制御するために使用される。
【００５７】
ここで、図２に示す例では、ＨＤＭＩブロック１４には電力が供給されている。これに伴って、メモリブロック２０のＨＤＭＩ制御プログラム２１３は、中央演算ブロック１１により展開されている。また、ＨＤＤ装置ブロック３０には電力が供給されている。これに伴って、メモリブロック２０のＨＤＤ制御プログラム２２２は、中央演算ブロック１１により展開されている。
【００５８】
一方、図２に示す例では、ビデオブロック１５、１６、オーディオＤＡＣブロック８０、ゲイン・フィルタブロック８２、ビデオブロック９０および９１に供給される電力は停止されている。これに伴い、メモリブロック２０のアナログ制御プログラム２１１は、展開されていない、または、プリプログラムのみが中央演算ブロック１１により展開されている。また、イーサネット（登録商標）ブロック７０に供給される電力は停止されている。これに伴い、メモリブロック２０のイーサネット（登録商標）制御プログラム２１２は、展開されていない、または、プリプログラムのみが中央演算ブロック１１により展開されている。
【００５９】
また、ＣＥＣブロック６０に供給される電力は停止されている。これに伴い、メモリブロック２０のＣＥＣ制御プログラム２１３ａは、展開されていない、または、プリプログラムのみが中央演算ブロック１１により展開されている。また、ＤＩＳＣ装置ブロック４０に供給される電力は停止されている。これに伴い、メモリブロック２０のＤＩＳＣ制御プログラム２２１は、展開されていない、または、プリプログラムのみが中央演算ブロック１１により展開されている。
【００６０】
ＨＤＤ装置ブロック３０は、録画した映像を記憶するように構成されている。また、ＨＤＤ装置ブロック３０は、メインＭＣＵ１０の中央演算ブロック１１に接続されている。また、ＨＤＤ装置ブロック３０は、電源スイッチ３０ａを介してＨＤＤ電源３１から電力を供給されるように構成されている。
【００６１】
ＤＩＳＣ装置ブロック４０は、ＢＤ（ブルーレイディスク）や、ＤＶＤ（デジタル多目的ディスク）などのメディアに記録されている映像を再生するように構成されている。また、ＤＩＳＣ装置ブロック４０は、ＢＤや、ＤＶＤなどのメディアに映像を記録する（書き込む）ように構成されている。また、ＤＩＳＣ装置ブロック４０は、メインＭＣＵ１０の中央演算ブロック１１に接続されている。また、ＤＩＳＣ装置ブロック４０は、電源スイッチ４０ａを介してＤＩＳＣ電源４１から電力を供給されるように構成されている。
【００６２】
チューナブロック５０は、テレビジョン放送を受信するように構成されている。また、チューナブロック５０は、図２に示すように、ＢＳ（放送衛星）ブロック５２と、ＣＳ（通信衛星）ブロック５３と、地上デジタルブロック５４とを含む。なお、ＢＳブロック５２、ＣＳブロック５３および地上デジタルブロック５４は、本発明の「機能ブロック」の一例である。
【００６３】
ＢＳブロック５２は、ＢＳ放送を受信可能に構成されている。また、ＢＳブロック５２は、電源スイッチ５２ａを介してチューナ電源５１から電力を供給されるように構成されている。ＣＳブロック５３は、ＣＳ放送を受信可能に構成されている。また、ＣＳブロック５３は、電源スイッチ５３ａを介してチューナ電源５１から電力を供給されるように構成されている。地上デジタルブロック５４は、地上デジタル放送を受信可能に構成されている。また、地上デジタルブロック５４は、電源スイッチ５４ａを介してチューナ電源５１から電力を供給されるように構成されている。このように、機能ブロックとしてのチューナブロック５０をＢＳブロック５２、ＣＳブロック５３および地上デジタルブロック５４の機能ブロックに細分化することにより、機能ごとに使用の有無が分かれるような場合でも、細かく制御して消費電力を効率よく低減することが可能である。
【００６４】
ＣＥＣブロック６０は、ＨＤＭＩ規格のケーブルで接続された機器同士の制御を行うためのＣＥＣ信号を送受信するように構成されている。また、ＣＥＣブロック６０は、メインＭＣＵ１０のＨＤＭＩブロック１４に接続されている。また、ＣＥＣブロック６０は、電源スイッチ６０ａを介してＣＥＣ電源６１から電力を供給されるように構成されている。
【００６５】
イーサネット（登録商標）ブロック７０は、外部のネットワークと通信するためのイーサネット（登録商標）信号を送受信するように構成されている。また、イーサネット（登録商標）ブロック７０は、メインＭＣＵ１０の中央演算ブロック１１に接続されている。また、イーサネット（登録商標）ブロック７０は、ネット−ワークを介してホストコンピュータ２または３に、記憶部１８に記憶された複数の機能ブロックのそれぞれの使用傾向情報を送信可能に構成されている。また、イーサネット（登録商標）ブロック７０は、ネットワークを介してホストコンピュータ２または３からの制御信号を受信可能に構成されている。また、イーサネット（登録商標）ブロック７０は、電源スイッチ７０ａを介してイーサネット（登録商標）電源７１から電力を供給されるように構成されている。
【００６６】
オーディオＤＡＣブロック８０は、中央演算ブロック１１から入力される音声のデジタル信号をアナログ信号に変換してゲイン・フィルタブロック８２に出力するように構成されている。また、オーディオＤＡＣブロック８０は、電源スイッチ８０ａを介してオーディオ電源８１から電力を供給されるように構成されている。
【００６７】
ゲイン・フィルタブロック８２は、オーディオＤＡＣブロック８０から入力される音声のアナログ信号の増幅およびノイズなどの除去を行いアナログオーディオ信号を出力するように構成されている。また、ゲイン・フィルタブロック８２は、電源スイッチ８２ａを介してオーディオ電源８３から電力を供給されるように構成されている。
【００６８】
ビデオブロック９０は、メインＭＣＵ１０のビデオブロック１５から出力される画像信号に基づいて、アナログ画像のコンポジット信号を送信するように構成されている。ビデオブロック９１は、メインＭＣＵ１０のビデオブロック１６から出力される画像信号に基づいて、アナログ画像のコンポーネント信号を送信するように構成されている。また、ビデオブロック９０および９１は、電源スイッチ９０ａを介してビデオ電源９２からそれぞれ電力を供給されるように構成されている。つまり、類似する機能を有するビデオブロック９０および９１に供給される電力を共通の電源スイッチ９０ａを用いて制御することが可能である。
【００６９】
ケーブル検知部９３は、ゲイン・フィルタブロック８２、ビデオブロック９０および９１にそれぞれ接続されるケーブルの有無を検知するように構成されている。つまり、ケーブル検知部９３は、アナログの音声および画像を送受信する端子にケーブルがささっているか否かを検知する。
【００７０】
次に、図３を参照して、ＢＤレコーダ１００のメインＭＣＵ１０が行う消費電力低減処理について説明する。
【００７１】
ＢＤレコーダ１００が起動されて所定のタイミングにおいて、ステップＳ１において、メインＭＣＵ１０は、複数の機能ブロックから処理を行う機能ブロックを選択する。ここでは、メインＭＣＵ１０は、処理を行う機能ブロックとしてＨＤＤ装置ブロック３０を選択したものとして説明する。また、他の機能ブロックについての処理も同様に行われる。メインＭＣＵ１０は、ステップＳ２において、ＢＤレコーダ１００起動後にＨＤＤ装置ブロック３０が機能した時間である機能時間Ｔｆを取得する。また、メインＭＣＵ１０は、取得した機能時間Ｔｆを記憶部１８に記憶させる。メインＭＣＵ１０は、ステップＳ３において、ＢＤレコーダ１００の起動累計時間としてサンプル期間Ｔｓを取得する。具体的には、メインＭＣＵ１０は、ＢＤレコーダ１００が一定期間（たとえば、１週間）中に起動された累計時間を集計してサンプル期間Ｔｓを取得する。
【００７２】
メインＭＣＵ１０は、ステップＳ４において、サンプル期間Ｔｓ内における機能時間Ｔｆの累計時間である機能累計時間Ｔｆｔを取得する。つまり、メインＭＣＵ１０は、一定期間（たとえば、１週間）中にＨＤＤ装置ブロック３０が機能した時間の累計時間である機能累計時間Ｔｆｔを集計して取得する。具体的には、メインＭＣＵ１０は、記憶部１８に累積して記憶された機能累計時間Ｔｆｔを取得する。メインＭＣＵ１０は、ステップＳ５において、Ｔｆｔ／Ｔｓが５０％より大きいか否かを判断する。つまり、メインＭＣＵ１０は、ＨＤＤ装置ブロック３０がサンプル期間Ｔｓ中に５０％より長い時間使用されたか否かを判断する。Ｔｆｔ／Ｔｓが５０％より大きければステップＳ６に進み、５０％以下であればステップＳ１０に進む。
【００７３】
メインＭＣＵ１０は、ステップＳ６において、ＨＤＤ装置ブロック３０を頻度高に設定する。これにより、ＨＤＤ装置ブロック３０の機能は常に有効になるように設定される。メインＭＣＵ１０は、ステップＳ７において、ＨＤＤ装置ブロック３０の電源投入を有効に設定する。具体的には、メインＭＣＵ１０は、制御ブロック１２により電源スイッチ３０ａをＯＮにして、ＨＤＤ電源３１からＨＤＤ装置ブロック３０に電力を供給する制御を行う。
【００７４】
メインＭＣＵ１０は、ステップＳ８において、ＨＤＤ装置ブロック３０のプログラム展開を有効にする。具体的には、メインＭＣＵ１０は、メモリブロック２０のフロントエンド２２においてＨＤＤ制御プログラム２２２を展開する。メインＭＣＵ１０は、ステップＳ９において、ＨＤＤ装置ブロック３０のユーザインターフェースの階層を１段目に設定する、および、強調表示にする制御を行う。これにより、使用頻度が高いＨＤＤ装置ブロック３０を操作するためのユーザインターフェースがユーザにとってアクセスしやすくなる。その後、メインＭＣＵ１０は、消費電力低減処理を終了する。
【００７５】
ステップＳ５において、Ｔｆｔ／Ｔｓが５０％以下であると判断した場合、メインＭＣＵ１０は、ステップＳ１０において、Ｔｆｔ／Ｔｓが２５％より大きいか否かを判断する。つまり、メインＭＣＵ１０は、ＨＤＤ装置ブロック３０がサンプル期間Ｔｓ中に２５％より長くて５０％以下の時間使用されたか否かを判断する。Ｔｆｔ／Ｔｓが２５％より大きければステップＳ１１に進み、２５％以下であればステップＳ１４に進む。
【００７６】
ここで、第１実施形態では、メインＭＣＵ１０は、ステップＳ１１において、ＨＤＤ装置ブロック３０を頻度中に設定する。メインＭＣＵ１０は、ステップＳ１２において、ＨＤＤ装置ブロック３０の電源投入を無効に設定する。具体的には、メインＭＣＵ１０は、制御ブロック１２により電源スイッチ３０ａをＯＦＦにして、ＨＤＤ電源３１からＨＤＤ装置ブロック３０に供給する電力を停止する制御を行う。つまり、メインＭＣＵ１０は、ＨＤＤ装置ブロック３０の使用傾向情報に基づいて、不使用傾向であるＨＤＤ装置ブロック３０に供給される電力を停止する制御を行う。なお、その後、ユーザの操作によりＨＤＤ装置ブロック３０が使用される場合は、ＨＤＤ電源３１からＨＤＤ装置ブロック３０に電力が供給される。
【００７７】
メインＭＣＵ１０は、ステップＳ１３において、ＨＤＤ装置ブロック３０のプログラムをプリプログラムのみ展開する。具体的には、メインＭＣＵ１０は、メモリブロック２０のフロントエンド２２においてＨＤＤ制御プログラム２２２をプリプログラムのみ展開する。これにより、ユーザの操作によりＨＤＤ装置ブロック３０を起動する場合に、ＨＤＤ制御プログラム２２２の展開を迅速に行うことが可能である。その後、メインＭＣＵ１０は、消費電力低減処理を終了する。
【００７８】
ステップＳ１０において、Ｔｆｔ／Ｔｓが２５％以下であると判断した場合、メインＭＣＵ１０は、ステップＳ１４において、ＨＤＤ装置ブロック３０を頻度低に設定する。
【００７９】
また、第１実施形態では、ステップＳ１５において、ＨＤＤ装置ブロック３０の電源投入を無効に設定する。具体的には、メインＭＣＵ１０は、制御ブロック１２により電源スイッチ３０ａをＯＦＦにして、ＨＤＤ電源３１からＨＤＤ装置ブロック３０に供給する電力を停止する制御を行う。つまり、メインＭＣＵ１０は、ＨＤＤ装置ブロック３０の使用傾向情報に基づいて、不使用傾向であるＨＤＤ装置ブロック３０に供給される電力を停止する制御を行う。なお、その後、ユーザの操作によりＨＤＤ装置ブロック３０が使用される場合は、ＨＤＤ電源３１からＨＤＤ装置ブロック３０に電力が供給される。
【００８０】
メインＭＣＵ１０は、ステップＳ１６において、ＨＤＤ装置ブロック３０のプログラム展開を無効にする。具体的には、メインＭＣＵ１０は、メモリブロック２０のフロントエンド２２においてＨＤＤ制御プログラム２２２を展開しない。メインＭＣＵ１０は、ステップＳ１７において、ＨＤＤ装置ブロック３０のユーザインターフェースの表示を詳細設定グループとして表示する制御を行う。その後、メインＭＣＵ１０は、消費電力低減処理を終了する。このように、第１実施形態では、メインＭＣＵ１０は、機能累計時間Ｔｆｔに基づいて電力の供給の有無およびプログラムの展開の有無を制御する状態の間の、電力の供給は停止するもののプリプログラムのみを展開するという中間的な状態に制御することが可能に構成されている。
【００８１】
第１実施形態では、上記のように、少なくとも１つの機能ブロックに電力が供給されている状態において、複数の機能ブロックのうち所定の使用割合以下の不使用傾向の機能ブロックに供給される電力を停止する制御を行うメインＭＣＵ１０を設けることによって、使用傾向の機能ブロックには電力を供給しつつ、不使用傾向の機能ブロックには電力の供給を停止することができるので、ＢＤレコーダ１００の少なくとも１つの機能ブロックに電力が供給されている状態における消費電力を低減することができる。また、少なくとも１つの機能ブロックに電力が供給されている状態において、ユーザが所定の使用割合以下しか使用しない機能の機能ブロックに供給される電力を停止させることができるので、ユーザの利便性を下げることなく、ＢＤレコーダ１００の消費電力を低減することができる。また、不使用傾向の機能ブロックが起動されないので、不使用傾向の機能ブロックを起動させるプログラムの展開領域を他の使用傾向の機能ブロックに開放することができ、その結果、メインＭＣＵ１０の処理負担を軽減させることができる。また、不使用傾向の機能ブロックに電力が供給されないので、通電による発熱を軽減させることができる。これにより、ＢＤレコーダ１００の寿命を延ばすことができる。また、記憶部１８に蓄積された複数の機能ブロックの使用状態に基づいて複数の機能ブロックの使用傾向情報をそれぞれ取得するようにメインＭＣＵ１０を構成することによって、記憶部１８に蓄積された複数の機能ブロックの使用状態に基づいて複数の機能ブロックの使用傾向情報をそれぞれ容易に取得することができる。
【００８２】
また、第１実施形態では、上記のように、メインＭＣＵ１０を、ＨＤＤ装置ブロック３０およびチューナブロック５０の機能している時間、ＤＩＳＣ装置ブロック４０のＤＩＳＣの再生回数、接続されているケーブルまたはアンテナの有無、または、ＨＤＭＩブロック１４、ＣＥＣブロック６０およびイーサネット（登録商標）ブロック７０のデータ通信量に基づいて、機能ブロックのそれぞれの使用傾向情報を取得することにより不使用傾向を判断するように構成することによって、使用傾向情報に基づいて、実際のユーザの使用状態に応じた不使用傾向を容易に判断することができる。
【００８３】
また、第１実施形態では、上記のように、メインＭＣＵ１０を、所定の期間（たとえば、１週間）において蓄積された複数の機能ブロックの使用状態に基づいて、複数の機能ブロックのそれぞれの使用傾向情報を取得することにより不使用傾向を判断するように構成することによって、所定の期間（たとえば、１週間）において蓄積された複数の機能ブロックの使用状態に基づいて、実際のユーザの使用状態に応じた不使用傾向を精度よく判断することができる。
【００８４】
また、第１実施形態では、上記のように、メインＭＣＵ１０を、複数の機能ブロックのうち、機能の使用時間、機能の使用頻度、機能の有効時間または有効頻度、および、情報処理量に関して所定の使用割合以下の不使用傾向の機能ブロックに供給される電力を停止する制御を行うように構成することによって、機能の使用時間、機能の使用頻度、機能の有効時間または有効頻度、および、情報処理量に関して所定の使用割合以下の不使用傾向の機能ブロックには電力の供給を停止することができるので、ユーザの利便性を下げることなく、電子機器の機能ブロックに電力が供給されている状態における消費電力を容易に低減することができる。
【００８５】
また、第１実施形態では、上記のように、メインＭＣＵ１０を、複数の機能ブロックのそれぞれの使用傾向情報に基づいて、複数の機能ブロックのうち不使用傾向の機能ブロックを操作するためのユーザインターフェースの表示を非表示、グレー表示、階層を下げた表示、または、詳細設定グループとして表示する制御を行うように構成することによって、不使用傾向の機能ブロックを操作するためのユーザインターフェースの表示が隠す等されて目立たないように整理されるので、使用傾向の機能ブロックを操作するためのユーザインターフェースにユーザがアクセスしやすくすることができる。これにより、ユーザが必要な情報に容易にアクセスすることができる。
【００８６】
また、第１実施形態では、上記のように、メインＭＣＵ１０を、電源スイッチ１４ａ、１５ａ、１６ａ、３０ａ、４０ａ、５２ａ、５３ａ、５４ａ、６０ａ、７０ａ、８０ａ、８２ａおよび９０ａを制御することにより、不使用傾向の機能ブロックに供給される電力を停止する制御を行うように構成することによって、電源スイッチ１４ａ、１５ａ、１６ａ、３０ａ、４０ａ、５２ａ、５３ａ、５４ａ、６０ａ、７０ａ、８０ａ、８２ａおよび９０ａを制御することにより、不使用傾向の機能ブロックに供給される電力を容易に停止させることができる。
【００８７】
また、第１実施形態では、上記のように、メインＭＣＵ１０を、類似するビデオブロック９０および９１に供給される電力を共通の電源スイッチ９０ａを制御することにより停止する制御を行うように構成することによって、類似するビデオブロック９０および９１に対して共通の電源スイッチ９０ａを設けることができるので、ビデオブロック９０および９１に対して個別に電源スイッチを設ける場合に比べてＢＤレコーダ１００の構成を簡素化することができる。
【００８８】
また、第１実施形態では、上記のように、使用傾向情報をネットワークを介してホストコンピュータ２または３に送信可能なイーサネット（登録商標）ブロック７０をＢＤレコーダ１００に設けることによって、ＢＤレコーダ１００の使用傾向情報がホストコンピュータ２または３に収集されるので、ホストコンピュータ２または３によりＢＤレコーダ１００の使用傾向を分析した結果を次世代のＢＤレコーダ１００の開発にフィードバックすることができる。たとえば、ホストコンピュータ２または３が取得したＢＤレコーダ１００の使用傾向情報により、アナログまたはＨＤＭＩのいずれかにより音声および画像を送受信しているという使用傾向が得られた場合、アナログの音声および画像を送受信するための機能ブロック（ビデオブロック１５、１６、オーディオＤＡＣブロック８０、ゲイン・フィルタブロック８２、ビデオブロック９０および９１）を共通の電源スイッチで管理し、ＨＤＭＩを用いて音声および画像を送受信するための機能ブロック（ＨＤＭＩブロック１４およびＣＥＣブロック６０）を共通の電源スイッチで管理するようにＢＤレコーダ１００を設計することができる。これにより、ＢＤレコーダ１００の構成を簡易にすることが可能である。また、この場合、アナログの音声および画像を送受信するための機能ブロックと、ＨＤＭＩを用いて音声および画像を送受信するための機能ブロックとを択一的に選択して電力を供給する構成にＢＤレコーダ１００を設計してもよい。
【００８９】
また、第１実施形態では、上記のように、メインＭＣＵ１０を、イーサネット（登録商標）ブロック７０を介して受信した制御信号に基づいて、少なくとも１つの機能ブロックに電力が供給されている状態において、複数の機能ブロックのうち不使用傾向の機能ブロックに供給される電力を停止する制御を行うように構成することによって、ホストコンピュータ２または３に接続された複数のＢＤレコーダ１００の不使用傾向の機能ブロックに供給される電力を停止する制御をホストコンピュータ２または３により一元管理することができるので、複数のＢＤレコーダ１００の消費電力を効果的に低減することができる。
【００９０】
（第２実施形態）
次に、図５〜図１０を参照して、本発明の第２実施形態による電子機器管理システム１０１について説明する。第２実施形態による電子機器管理システム１０１のＢＤレコーダ１００は、第１実施形態の機能に加えてさらに以下のような機能を有する。
【００９１】
まず、図５を参照して、本発明の第２実施形態による電子機器管理システム１０１の構成について説明する。
【００９２】
電子機器管理システム１０１は、図５に示すように、サーバ１０２と、ＢＤ（ブルーレイディスク）レコーダ１００と、ＴＶ（テレビ）２００とを備えている。また、ＢＤレコーダ１００は、インターネット１０３を介して、サーバ１０２に接続されている。なお、ＢＤレコーダ１００は、本発明の「電子機器」の一例であり、ＴＶ２００は、本発明の「表示装置」の一例である。
【００９３】
サーバ１０２は、インターネット１０３を介して、ＢＤレコーダ１００と通信可能に構成されている。また、サーバ１０２は、インターネット１０３を介してＢＤレコーダ１００に広告を送信可能に構成されている。ＢＤレコーダ１００は、ＴＶ２００に接続されている。
【００９４】
次に、図６を参照して、本発明の第２実施形態によるＢＤレコーダ１００の構成について説明する。
【００９５】
ＢＤレコーダ１００は、図６に示すように、メインＭＣＵ（マイクロコントローラユニット）１０と、記憶部１８と、メモリブロック２０とを備えている。また、ＢＤレコーダ１００は、機能毎にブロック化された機能ブロックとして、ＨＤＤ（ハードディスクドライブ）装置ブロック３０と、ＤＩＳＣ装置ブロック４０と、チューナブロック５０と、ＣＥＣブロック６０と、イーサネット（登録商標）ブロック７０と、オーディオＤＡＣブロック８０と、ゲイン・フィルタブロック８２と、ビデオブロック９０および９１とを備えている。なお、メインＭＣＵ１０は、本発明の「制御部」の一例である。また、ＨＤＤ装置ブロック３０、ＤＩＳＣ装置ブロック４０、チューナブロック５０、ＣＥＣブロック６０、イーサネット（登録商標）ブロック７０、オーディオＤＡＣブロック８０、ゲイン・フィルタブロック８２、ビデオブロック９０および９１は、本発明の「機能ブロック」の一例である。
【００９６】
また、ＢＤレコーダ１００には、ＭＣＵ電源１７と、ＨＤＤ電源３１と、ＤＩＳＣ電源４１と、チューナ電源５１と、ＣＥＣ電源６１と、イーサネット（登録商標）電源７１と、オーディオ電源８１および８３と、ビデオ電源９２とが設けられている。また、ＢＤレコーダ１００には、トランジスタにより構成された電源スイッチ３０ａ、４０ａ、５２ａ、５３ａ、５４ａ、６０ａ、７０ａ、８０ａ、８２ａおよび９０ａが設けられている。また、ＢＤレコーダ１００には、ケーブル検知部９３が設けられている。
【００９７】
メインＭＣＵ１０は、図６に示すように、中央演算ブロック１１と、制御ブロック１２と、ＭＣＵ電源ブロック１３と、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ブロック１４と、ビデオブロック１５および１６とを含む。また、メインＭＣＵ１０には、電源スイッチ１４ａ、１５ａおよび１６ａが設けられている。なお、ＨＤＭＩブロック１４、ビデオブロック１５および１６は、本発明の「機能ブロック」の一例である。
【００９８】
中央演算ブロック１１は、ＢＤレコーダ１００の各部を制御するように構成されている。具体的には、中央演算ブロック１１は、メモリブロック２０の領域を使用して各種プログラムを展開してＢＤレコーダ１００の各部を制御するように構成されている。また、中央演算ブロック１１は、映像を録画再生するために、映像信号をデコードおよびエンコードするように構成されている。また、中央演算ブロック１１は、ＨＤＭＩブロック１４を介してデジタルの画像、音声などの情報を含むＨＤＭＩ信号を送受信するように構成されている。また、中央演算ブロック１１は、ＨＤＭＩブロック１４およびＣＥＣブロック６０を介して他の機器と連携するための制御信号を含むＣＥＣ（Ｃｏｎｓｕｍｅｒ  Ｅｌｅｃｔｒｏｎｉｃｓ  Ｃｏｎｔｒｏｌ）信号を送受信するように構成されている。
【００９９】
また、中央演算ブロック１１は、ビデオブロック１５および９０を介してアナログ画像のコンポジット信号を送受信するように構成されている。また、中央演算ブロック１１は、ビデオブロック１６および９１を介してアナログ画像のコンポーネント信号を送受信するように構成されている。また、中央演算ブロック１１は、オーディオＤＡＣブロック８０およびゲイン・フィルタブロック８２を介してアナログオーディオ信号を送受信するように構成されている。
【０１００】
また、中央演算ブロック１１は、制御ブロック１２を制御して、電源スイッチ１４ａ、１５ａ、１６ａ、３０ａ、４０ａ、５２ａ、５３ａ、５４ａ、６０ａ、７０ａ、８０ａ、８２ａおよび９０ａのＯＮ／ＯＦＦを切り替えて各機能ブロックに供給される電力を制御するように構成されている。たとえば、図６に示す例では、中央演算ブロック１１は、電源スイッチ１４ａ、３０ａ、５２ａ、５３ａおよび５４ａをＯＮにする制御を行っている。これにより、ＨＤＭＩブロック１４、ＨＤＤ装置ブロック３０、チューナブロック５０のＢＳブロック５２、ＣＳブロック５３および地上デジタルブロック５４にそれぞれ電力が供給されている。一方、中央演算ブロック１１は、電源スイッチ１５ａ、１６ａ、４０ａ、６０ａ、７０ａ、８０ａ、８２ａおよび９０ａをＯＦＦにする制御を行っている。これにより、図６に示すように、網掛け（ハッチング）されているビデオブロック１５、１６、ＤＩＳＣ装置ブロック４０、ＣＥＣブロック６０、イーサネット（登録商標）ブロック７０、オーディオＤＡＣブロック８０、ゲイン・フィルタブロック８２、ビデオブロック９０および９１に供給される電力が停止されている。
【０１０１】
また、中央演算ブロック１１は、機能ブロックのそれぞれの使用傾向および使用状態に関する使用状況情報を取得するように構成されている。具体的には、中央演算ブロック１１は、ＨＤＤ装置ブロック３０およびチューナブロック５０の機能している時間に基づいてＨＤＤ装置ブロック３０およびチューナブロック５０のそれぞれの使用傾向に関する使用状況情報を取得するように構成されている。また、中央演算ブロック１１は、ＤＩＳＣ装置ブロック４０のＤＩＳＣの再生回数（使用頻度）に基づいてＤＩＳＣ装置ブロック４０の使用傾向に関する使用状況情報を取得するように構成されている。また、中央演算ブロック１１は、ＤＩＳＣ装置ブロック４０内のＢＤ（ブルーレイディスク）などのディスクが長時間放置されているか否かに基づいて使用状態に関する使用状況情報を取得するように構成されている。なお、ディスクは、本発明の「記録媒体」の一例である。
【０１０２】
また、中央演算ブロック１１は、ビデオブロック１５、１６、オーディオＤＡＣブロック８０、ゲイン・フィルタブロック８２、ビデオブロック９０および９１にそれぞれ接続されるケーブルの有無を、ケーブル検知部９３により検知して、ビデオブロック１５、１６、オーディオＤＡＣブロック８０、ゲイン・フィルタブロック８２、ビデオブロック９０および９１の使用状態に関する使用状況情報を取得するように構成されている。また、中央演算ブロック１１は、チューナブロック５０に接続されるアンテナの有無を検知して、チューナブロック５０の使用状態に関する使用状況情報を取得するように構成されている。また、中央演算ブロック１１は、ＨＤＭＩブロック１４、ＣＥＣブロック６０およびイーサネット（登録商標）ブロック７０のデータ通信量（情報処理量）に基づいてＨＤＭＩブロック１４、ＣＥＣブロック６０およびイーサネット（登録商標）ブロック７０のそれぞれの使用傾向に関する使用状況情報を取得するように構成されている。
【０１０３】
また、中央演算ブロック１１は、複数の機能ブロックの使用状況情報を記憶部１８に蓄積して記憶させるように構成されている。具体的には、中央演算ブロック１１は、機能ブロックの機能している時間、機能ブロックの使用回数、機能ブロックの有効／無効、または機能ブロックの情報処理量を記憶部１８に蓄積して記憶させるように構成されている。また、中央演算ブロック１１は、複数の機能ブロックのそれぞれの使用状態を蓄積した結果に基づいて機能ブロックの使用傾向を取得するように構成されている。
【０１０４】
ここで、第２実施形態では、中央演算ブロック１１は、複数の機能ブロックをユーザにそれぞれ操作させるための通知情報を、ＨＤＭＩブロック１４を介してＴＶ２００に出力する制御を行うように構成されている。これにより、ＴＶ２００の表示部２０１（図６参照）に機能ブロックをユーザに操作させるための画面（図８〜図１０参照）が表示（通知）される。なお、中央演算ブロック１１は、ＴＶ２００の画面による通知に合わせて、ＴＶ２００のスピーカ（図示せず）から音声により機能ブロックをユーザに操作させるための通知を適宜行うように構成されている。
【０１０５】
また、第２実施形態では、中央演算ブロック１１は、記憶部１８に蓄積した複数の機能ブロックのそれぞれの使用傾向または使用状態に関する使用状況情報に基づいて、所定の使用状況に該当する機能ブロックをユーザに操作させるための通知を行うように構成されている。なお、所定の使用状況は、所定の使用割合、所定の使用時間、所定の使用頻度、放置状態、および、記録媒体の所定の使用状態の状況を含む。具体的には、中央演算ブロック１１は、長時間未使用のままで起動している使用傾向にある機能ブロックまたはＢＤレコーダ１００について、ユーザにオートパワーオフの設定をさせるための通知を行う。これにより、ユーザにより未使用傾向の機能ブロックまたはＢＤレコーダ１００を自動で停止させる設定にすることが可能である。また、中央演算ブロック１１は、所定の使用割合以下の不使用傾向の機能ブロックをユーザに停止させる操作をさせるための通知を行うように構成されている。また、中央演算ブロック１１は、ＨＤＤ装置ブロック３０に視聴されていない毎週録画予約の番組がある場合に、ユーザに未視聴番組があることを通知するとともに、視聴する操作、または、予約をキャンセルする操作を行うようにユーザに通知する制御を行うように構成されている。
【０１０６】
また、中央演算ブロック１１は、ＤＩＳＣ装置ブロック４０に長時間再生されずに放置されているＢＤなどのディスクがある場合に、ユーザに放置されているディスクがあることを通知するとともに、ディスクを取り出す操作を行うようにユーザに通知する制御を行うように構成されている。また、中央演算ブロック１１は、チューナブロック５０により受信したテレビジョン放送をＨＤＭＩブロック１４を介してＴＶ２００に長時間出力されている状態の場合に、ＴＶ２００により直接テレビジョン放送を受信して視聴するようにユーザに通知するとともに、ＢＤレコーダ１００の電源を切るように通知する制御を行うように構成されている。また、中央演算ブロック１１は、たとえば、ＢＳブロック５２およびＣＳブロック５３にアンテナが接続されていない場合に、ＢＳブロック５２およびＣＳブロック５３をユーザに停止させる操作をさせるための通知を行うように構成されている。
【０１０７】
また、中央演算ブロック１１は、複数の機能ブロックのそれぞれの使用状況情報に基づいて、機能ブロックをユーザに操作させるための通知を行うとともに、ＢＤレコーダ１００の通常運転時に、複数の機能ブロックのうち所定の使用割合以下の不使用傾向の機能ブロックに供給される電力を停止する制御を行うように構成されている。具体的には、中央演算ブロック１１は、記憶部１８に蓄積された機能ブロックのそれぞれの使用状況情報に基づいて、一定の割合の時間以下の機能時間の機能ブロック、一定の割合以下の使用頻度の機能ブロック、ケーブルが接続されておらず無効である機能ブロック、または、一定の割合以下の情報処理量の機能ブロックに供給される電力を停止する制御を行うように構成されている。なお、不使用傾向とは、全く使用していない状態のみならず、所定の割合以下で使用割合が低い傾向の状態も含む。
【０１０８】
また、中央演算ブロック１１は、複数の機能ブロックのそれぞれの使用状況情報に基づいて、機能ブロック毎の使用状況（使用時間、使用割合および使用頻度）、機能ブロック毎の消費電力、機能ブロック毎の電気料金、または、機能ブロック毎の概算寿命をユーザに通知するように構成されている。たとえば、中央演算ブロック１１は、図９に示すように、１週間のＨＤＤ装置ブロック３０およびＤＩＳＣ装置ブロック４０の消費電力および電気料金をＴＶ２００の表示部２０１に表示させる制御を行う。
【０１０９】
また、中央演算ブロック１１は、複数の機能ブロックのそれぞれの使用状況情報に基づいて、ＢＤレコーダ１００の通常運転時に、複数の機能ブロックのうち所定の使用割合以下の不使用傾向の機能ブロックを制御するためのプログラムの展開を制御するように構成されている。具体的には、中央演算ブロック１１は、不使用傾向の機能ブロックを制御するためのプログラムを展開しない、または、プリプログラムのみを展開する制御を行うように構成されている。
【０１１０】
また、中央演算ブロック１１は、複数の機能ブロックのそれぞれの使用状況情報に基づいて、所定の使用状況の機能ブロックを操作するための案内を表示する制御を行うように構成されている。具体的には、中央演算ブロック１１は、ユーザに操作させるための機能ブロックの操作の案内を強調して表示する（図８〜図１０参照）制御を行う。たとえば、中央演算ブロック１１は、図８に示すように、オートパワーオフの設定および毎週録画予約の取消の設定をＴＶ２００の表示部２０１に強調して表示する制御を行う。
【０１１１】
また、中央演算ブロック１１は、インターネット１０３を介してサーバ１０２から送信される広告をイーサネット（登録商標）ブロック７０により受信して、ＴＶ２００の表示部２０１に表示するように構成されている。たとえば、中央演算ブロック１１は、図１０に示すように、ＴＶ２００の表示部２０１にＨＤＤ装置ブロック３０の概算寿命を通知するとともに、サーバ１０２から受信した広告を表示する制御を行う。また、図１０に示す「詳細」がユーザにより選択されれば、メーカーのホームページにジャンプして交換用のＨＤＤ装置ブロック３０の詳細が表示される。
【０１１２】
ＭＣＵ電源ブロック１３は、ＭＣＵ電源１７から供給される電力を制御するように構成されている。また、ＭＣＵ電源ブロック１３は、電源スイッチ１４ａ、１５ａおよび１６ａをそれぞれ介して、ＨＤＭＩブロック１４、ビデオブロック１５および１６に、電力を供給するように構成されている。
【０１１３】
記憶部１８は、不揮発性メモリにより構成されており、複数の機能ブロックの使用状況情報を記憶して蓄積するように構成されている。
【０１１４】
メモリブロック２０は、揮発性メモリにより構成されており、機能ブロックを制御するためのプログラムを展開可能に構成されている。また、メモリブロック２０は、図６に示すように、バックエンド２１と、フロントエンド２２とを含む。バックエンド２１では、アナログ制御プログラム２１１と、イーサネット（登録商標）制御プログラム２１２と、ＨＤＭＩ制御プログラム２１３とが展開可能に構成されている。ＨＤＭＩ制御プログラム２１３は、ＣＥＣ制御プログラム２１３ａを含む。フロントエンド２２では、ＤＩＳＣ制御プログラム２２１と、ＨＤＤ制御プログラム２２２とが展開可能に構成されている。
【０１１５】
アナログ制御プログラム２１１は、ビデオブロック１５および１６と、オーディオＤＡＣブロック８０と、ゲイン・フィルタブロック８２と、ビデオブロック９０および９１とを制御するために使用される。イーサネット（登録商標）制御プログラム２１２は、イーサネット（登録商標）ブロック７０を制御するために使用される。ＨＤＭＩ制御プログラム２１３は、ＨＤＭＩブロック１４を制御するために使用される。ＣＥＣ制御プログラム２１３ａは、ＣＥＣブロック６０を制御するために使用される。
【０１１６】
ＤＩＳＣ制御プログラム２２１は、ＤＩＳＣ装置ブロック４０を制御するために使用される。ＨＤＤ制御プログラム２２２は、ＨＤＤ装置ブロック３０を制御するために使用される。
【０１１７】
ここで、図６に示す例では、メモリブロック２０のＨＤＭＩ制御プログラム２１３およびＨＤＤ制御プログラム２２２は、中央演算ブロック１１により展開されている。
【０１１８】
一方、図６に示す例では、網掛け（ハッチング）されているメモリブロック２０のアナログ制御プログラム２１１、イーサネット（登録商標）制御プログラム２１２、ＣＥＣ制御プログラム２１３ａおよびＤＩＳＣ制御プログラム２２１は、展開されていない、または、プリプログラムのみが中央演算ブロック１１により展開されている。
【０１１９】
ＨＤＤ装置ブロック３０は、録画した映像を記憶するように構成されている。また、ＨＤＤ装置ブロック３０は、メインＭＣＵ１０の中央演算ブロック１１に接続されている。また、ＨＤＤ装置ブロック３０は、電源スイッチ３０ａを介してＨＤＤ電源３１から電力を供給されるように構成されている。
【０１２０】
ＤＩＳＣ装置ブロック４０は、ＢＤ（ブルーレイディスク）や、ＤＶＤ（デジタル多目的ディスク）などのメディアに記録されている映像を再生するように構成されている。また、ＤＩＳＣ装置ブロック４０は、ＢＤや、ＤＶＤなどのメディアに映像を記録する（書き込む）ように構成されている。また、ＤＩＳＣ装置ブロック４０は、メインＭＣＵ１０の中央演算ブロック１１に接続されている。また、ＤＩＳＣ装置ブロック４０は、電源スイッチ４０ａを介してＤＩＳＣ電源４１から電力を供給されるように構成されている。
【０１２１】
チューナブロック５０は、テレビジョン放送を受信するように構成されている。また、チューナブロック５０は、図６に示すように、ＢＳ（放送衛星）ブロック５２と、ＣＳ（通信衛星）ブロック５３と、地上デジタルブロック５４とを含む。なお、ＢＳブロック５２、ＣＳブロック５３および地上デジタルブロック５４は、本発明の「機能ブロック」の一例である。
【０１２２】
ＢＳブロック５２は、ＢＳ放送を受信可能に構成されている。また、ＢＳブロック５２は、電源スイッチ５２ａを介してチューナ電源５１から電力を供給されるように構成されている。ＣＳブロック５３は、ＣＳ放送を受信可能に構成されている。また、ＣＳブロック５３は、電源スイッチ５３ａを介してチューナ電源５１から電力を供給されるように構成されている。地上デジタルブロック５４は、地上デジタル放送を受信可能に構成されている。また、地上デジタルブロック５４は、電源スイッチ５４ａを介してチューナ電源５１から電力を供給されるように構成されている。このように、機能ブロックとしてのチューナブロック５０をＢＳブロック５２、ＣＳブロック５３および地上デジタルブロック５４の機能ブロックに細分化することにより、機能ごとに使用の有無が分かれるような場合でも、細かく制御して消費電力を効率よく低減することが可能である。
【０１２３】
ＣＥＣブロック６０は、ＨＤＭＩ規格のケーブルで接続された機器同士の制御を行うためのＣＥＣ信号を送受信するように構成されている。また、ＣＥＣブロック６０は、メインＭＣＵ１０のＨＤＭＩブロック１４に接続されている。また、ＣＥＣブロック６０は、電源スイッチ６０ａを介してＣＥＣ電源６１から電力を供給されるように構成されている。
【０１２４】
イーサネット（登録商標）ブロック７０は、外部のネットワークと通信するためのイーサネット（登録商標）信号を送受信するように構成されている。また、イーサネット（登録商標）ブロック７０は、メインＭＣＵ１０の中央演算ブロック１１に接続されている。また、イーサネット（登録商標）ブロック７０は、電源スイッチ７０ａを介してイーサネット（登録商標）電源７１から電力を供給されるように構成されている。
【０１２５】
オーディオＤＡＣブロック８０は、中央演算ブロック１１から入力される音声のデジタル信号をアナログ信号に変換してゲイン・フィルタブロック８２に出力するように構成されている。また、オーディオＤＡＣブロック８０は、電源スイッチ８０ａを介してオーディオ電源８１から電力を供給されるように構成されている。
【０１２６】
ゲイン・フィルタブロック８２は、オーディオＤＡＣブロック８０から入力される音声のアナログ信号の増幅およびノイズなどの除去を行いアナログオーディオ信号を出力するように構成されている。また、ゲイン・フィルタブロック８２は、電源スイッチ８２ａを介してオーディオ電源８３から電力を供給されるように構成されている。
【０１２７】
ビデオブロック９０は、メインＭＣＵ１０のビデオブロック１５から出力される画像信号に基づいて、アナログ画像のコンポジット信号を送信するように構成されている。ビデオブロック９１は、メインＭＣＵ１０のビデオブロック１６から出力される画像信号に基づいて、アナログ画像のコンポーネント信号を送信するように構成されている。また、ビデオブロック９０および９１は、電源スイッチ９０ａを介してビデオ電源９２からそれぞれ電力を供給されるように構成されている。つまり、類似する機能を有するビデオブロック９０および９１に供給される電力を共通の電源スイッチ９０ａを用いて制御することが可能である。
【０１２８】
ケーブル検知部９３は、ゲイン・フィルタブロック８２、ビデオブロック９０および９１にそれぞれ接続されるケーブルの有無を検知するように構成されている。つまり、ケーブル検知部９３は、アナログの音声および画像を送受信する端子にケーブルがささっているか否かを検知する。
【０１２９】
次に、図７を参照して、ＢＤレコーダ１００のメインＭＣＵ１０が行う使用状況情報処理について説明する。
【０１３０】
ＢＤレコーダ１００が起動されると、ステップＳ２１において、メインＭＣＵ１０は、使用状況情報を取得する。具体的には、メインＭＣＵ１０は、記憶部１８に累積して記憶された複数の機能ブロックのそれぞれの使用状況情報を取得する。
【０１３１】
メインＭＣＵ１０は、ステップＳ２２において、機器（ＢＤレコーダ１００）の未使用状態が長時間あるか否かを判断する。具体的には、メインＭＣＵ１０は、使用状況情報に基づいて長時間未使用のままでＢＤレコーダ１００を起動している使用傾向にあるか否かを判断する。長時間の未使用状態なしと判断したら、ステップＳ２４に進む。一方、長時間の未使用状態ありと判断したら、メインＭＣＵ１０は、ステップＳ２３において、機器の未使用状態が長時間ありというメッセージ表示フラグをＯＮにしてから、ステップＳ２４に進む。
【０１３２】
メインＭＣＵ１０は、ステップＳ２４において、一定期間（たとえば、１週間）未使用の機能があるか否かを判断する。一定期間未使用の機能はなしと判断したら、ステップＳ２６に進む。一方、一定期間（たとえば、１週間）未使用の機能があると判断したら、メインＭＣＵ１０は、ステップＳ２５において、一定期間未使用の機能ありというメッセージ表示フラグをＯＮにする。なお、メインＭＣＵ１０は、一定期間未使用の機能の機能ブロックが複数ある場合、一定期間未使用の機能の機能ブロック毎にメッセージ表示フラグをＯＮにする。そして、ステップＳ２６に進む。
【０１３３】
メインＭＣＵ１０は、ステップＳ２６において、一定期間（たとえば、１ヶ月）未視聴の毎週録画の番組があるか否かを判断する。一定期間未視聴の毎週録画の番組はないと判断したら、ステップＳ２８に進む。一方、一定期間（たとえば、１ヶ月）未視聴の毎週録画の番組があると判断したら、メインＭＣＵ１０は、ステップＳ２７において、一定期間未視聴の毎週録画の番組ありというメッセージ表示フラグをＯＮにする。そして、ステップＳ２８に進む。
【０１３４】
ここで、第２実施形態では、メインＭＣＵ１０は、ステップＳ２８において、ＢＤレコーダ１００が起動時の待ち時間であるか否かを判断し、起動時の待ち時間になるまでこの判断を繰り返す。起動時の待ち時間になると、メインＭＣＵ１０は、ステップＳ２９において、フラグＯＮのメッセージを表示する。具体的には、メインＭＣＵ１０は、ＴＶ２００の表示部２０１にフラグＯＮのメッセージを表示させる。
【０１３５】
たとえば、ステップＳ２３において、機器の未使用状態が長時間ありというメッセージ表示フラグをＯＮにし、ステップＳ２７において、一定期間未視聴の毎週録画の番組ありというメッセージ表示フラグをＯＮにしていた場合、メインＭＣＵ１０は、図８に示すように、ＴＶ２００の表示部２０１に「機器の未使用状態が長時間あります」というメッセージ、および、「未視聴の毎週録画番組があります」というメッセージを表示させる。これにより、ユーザに対してＢＤレコーダ１００の機能毎のより適切な使用が促される。その後、メインＭＣＵ１０は、同様のメッセージの表示を一定期間（たとえば、１日）の間隔で繰り返し行う。また、メインＭＣＵ１０は、ユーザにより同様のメッセージの表示は不要であるという操作を受付けた場合、メッセージの繰り返し表示を停止させる。
【０１３６】
メインＭＣＵ１０は、ステップＳ３０において、ユーザの操作を受付けたか否かを判断する。具体的には、メインＭＣＵ１０は、図８に示す例において、オートパワーオフの設定を行う操作、または、毎週録画予約を取り消す操作が行われたか否かを判断する。ユーザの操作を受付けなければ、そのまま使用状況情報処理を終了する。一方、ユーザの操作を受付ければ、メインＭＣＵ１０は、ステップＳ３１において、ユーザから受付けた操作の処理を実行する。たとえば、オートパワーオフの設定の操作を受付けた場合、メインＭＣＵ１０は、ＢＤレコーダ１００が一定の時間（たとえば、１時間）未使用状態の時に自動で電源が切れるように設定する。その後、使用状況情報処理を終了する。
【０１３７】
なお、第２実施形態のその他の構成は、上記第１実施形態と同様である。
【０１３８】
第２実施形態では、上記のように、複数の機能ブロックのそれぞれの使用状態に関する使用状況情報に基づいて、所定の使用状況に該当する機能ブロックをユーザに操作させるための通知を行うメインＭＣＵ１０を設けることによって、ユーザは通知に基づいて、機能ブロック毎の使用を停止または抑制することができるので、ＢＤレコーダ１００内での省電力化を図ることができる。また、通知に基づいてユーザが操作することができるので、ユーザの省電力化に対する意識を向上させることができるとともに、ユーザの意図に反する設定変更を抑制することができる。
【０１３９】
また、第２実施形態では、上記のように、メインＭＣＵ１０を、複数の機能ブロックのそれぞれの使用状態を蓄積した結果に基づく使用傾向、または、複数の機能ブロックのそれぞれの使用状態に関する使用状況情報に基づいて、所定の使用状況に該当する機能ブロックをユーザに操作させるための通知を行うように構成することによって、メインＭＣＵ１０により使用傾向または使用状態を判断して所定の使用状況に該当する機能ブロックをユーザに操作させるための通知を容易に行うことができる。
【０１４０】
また、第２実施形態では、上記のように、メインＭＣＵ１０を、使用状況情報に基づいて、複数の機能ブロックのうち所定の使用状況としての所定の使用割合以下の不使用傾向の機能ブロックをユーザに停止させるための通知を行うように構成することによって、ユーザにより不使用傾向の機能ブロックを容易に停止させることができるので、ユーザの利便性を低下させることなく、ＢＤレコーダ１００内での省電力化を図ることができる。
【０１４１】
また、第２実施形態では、上記のように、メインＭＣＵ１０を、機能ブロックをユーザに操作させるための通知情報をＴＶ２００に出力する制御を行うように構成することによって、ＴＶ２００を用いてＢＤレコーダ１００内での省電力化を視覚的にユーザに促すことができる。
【０１４２】
また、第２実施形態では、上記のように、メインＭＣＵ１０を、所定の使用状況の機能ブロックを操作するための案内を表示する制御を行うように構成することによって、ユーザにとって所定の使用状況の機能ブロックを操作しやすくなるので、機能ブロック毎の設定をユーザが容易に行うことができる。これにより、ＢＤレコーダ１００内での省電力化を容易に図ることができる。
【０１４３】
また、第２実施形態では、上記のように、メインＭＣＵ１０を、複数の機能ブロックのそれぞれの使用状況情報に基づいて、機能ブロックをユーザに操作させるための通知を行うとともに、所定の使用状況に該当する機能ブロックを停止する制御を行うように構成することによって、所定の使用状況に該当する機能ブロックをユーザに認知させるとともに、機能ブロックを停止させてＢＤレコーダ１００内での省電力化を図ることができる。また、所定の使用状況に該当する機能ブロックが停止されるので、通電による発熱を軽減させることができる。これにより、ＢＤレコーダ１００の寿命を延ばすことができる。
【０１４４】
また、第２実施形態では、上記のように、メインＭＣＵ１０を、複数の機能ブロックのそれぞれの使用状況情報に基づいて、機能ブロック毎の使用状況（使用時間、使用割合および使用頻度）、消費電力、電気料金または寿命をユーザに通知するように構成することによって、機能ブロック毎の使用状況、消費電力、電気料金または寿命を通知してＢＤレコーダ１００の省電力化を効果的にユーザに促すことができる。
【０１４５】
また、第２実施形態では、上記のように、メインＭＣＵ１０を、記憶部１８に使用状況情報を記憶させて蓄積させるとともに、記憶部１８に蓄積された使用状況情報に基づいて、機能ブロックをユーザに操作させるための通知を行うように構成することによって、記憶部１８に蓄積された複数の機能ブロックの使用状況情報に基づいて、機能ブロックをユーザに操作させるための通知を容易に行うことができる。
【０１４６】
また、第２実施形態では、上記のように、メインＭＣＵ１０を、サーバ１０２からの広告を通知する制御を行うように構成することによって、ユーザの使用状況に合わせたＢＤレコーダ１００のより適切な使用、交換または買い替えを促すことができる。
【０１４７】
なお、第２実施形態のその他の効果は、上記第１実施形態と同様である。
【０１４８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１４９】
たとえば、上記第１および第２実施形態では、本発明の電子機器の一例としてＢＤレコーダを適用する例を示したが、本発明はこれに限られない。ＢＤレコーダ以外の電子機器に本発明を適用してもよい。
【０１５０】
また、上記第１実施形態では、ＢＤレコーダ（電子機器）が所定の期間中（たとえば、１週間）に起動した累計時間中の機能ブロックの機能累計時間を集計する構成の例を示したが、本発明はこれに限られない。本発明では、所定の時間帯（たとえば、午前／午後／深夜、または、平日／休日など）ごとでの累計期間中の機能ブロックの機能累計時間を集計する構成でもよい。また、過去にわたる長期間の累計時間の集計と、最新の一定期間の累計時間の集計とを比較する構成であってもよい。また、制御部は、所定の期間において蓄積された複数の機能ブロックの使用状態、および、時間帯毎に蓄積された複数の機能ブロックの使用状態のうち少なくとも１つに基づいて、複数の機能ブロックのそれぞれの使用傾向情報を取得することにより不使用傾向を判断するように構成されていてもよい。
【０１５１】
また、上記第１実施形態では、ＢＤレコーダ（電子機器）のメインＭＣＵ（制御部）は、機能ブロックの使用傾向情報に基づいて、不使用傾向の機能ブロックに供給される電力を停止する制御を行う構成の例を示したが、本発明はこれに限られない。本発明では、電子機器の制御部は、機能ブロックの使用傾向情報に基づいて、時間帯により機能ブロックに供給される電力の入／切断を制御してもよい。たとえば、ＢＤレコーダ（電子機器）において深夜の時間帯に録画する使用傾向の場合、深夜の時間帯には、録画の機能ブロックのみ電力を供給し、他の機能ブロックに供給される電力を切断するようにしてもよい。また、この場合、深夜の時間帯に合わせて録画の機能ブロックのプログラムを展開するようにしてもよい。
【０１５２】
また、上記第１実施形態では、メインＭＣＵ（制御部）は、機能の使用時間、機能の使用回数、機能の有効／無効、または、情報処理量に基づいて、複数の機能ブロックのそれぞれの使用傾向情報を取得する構成の例を示したが、本発明はこれに限られない。本発明では、制御部は、機能の使用時間、機能の使用回数、機能の有効／無効、および、情報処理量のうち少なくとも１つに基づいて、複数の機能ブロックのそれぞれの使用傾向情報を取得する構成であってもよい。
【０１５３】
また、上記第１実施形態では、メインＭＣＵ（制御部）は、複数の機能ブロックのうち、機能の使用時間、機能の使用頻度、機能の有効時間または有効頻度、および、情報処理量に関して所定の使用割合以下の不使用傾向の機能ブロックに供給される電力を停止する制御を行う構成の例を示したが、本発明はこれに限られない。本発明では、制御部は、複数の機能ブロックのうち、機能の使用時間、機能の使用頻度、機能の有効時間または有効頻度、および、情報処理量のうち少なくとも１つに関して所定の使用割合以下の不使用傾向の機能ブロックに供給される電力を停止する制御を行う構成であってもよい。
【０１５４】
また、上記第１実施形態では、類似する２つの機能ブロックに供給される電力を共通の電源スイッチを制御することにより停止する構成の例を示したが、本発明はこれに限られない。本発明では、類似する３以上の機能ブロックに供給される電力を共通の電源スイッチを制御することにより停止する構成であってもよい。
【０１５５】
また、上記第２実施形態では、ＢＤレコーダ（電子機器）は、第１実施形態の機能を備えている構成の例を示したが、本発明はこれに限られない。本発明では、電子機器は、第１実施形態の機能を備えずに、第２実施形態の機能を備えている構成であってもよい。
【０１５６】
また、上記第２実施形態では、所定の使用状況は、所定の使用割合、所定の使用時間、所定の使用頻度、放置状態、および、記録媒体の所定の使用状態の状況を含む構成の例を示したが、本発明はこれに限られない。本発明では、所定の使用状況は、所定の使用割合、所定の使用時間、所定の使用頻度、放置状態、または、記録媒体の所定の使用状態のうちの少なくとも１つの状況を含んでいればよい。
【０１５７】
また、上記第２実施形態では、メインＭＣＵ（制御部）は、複数の機能ブロックのそれぞれの使用状況情報に基づいて、機能ブロック毎の使用状況、消費電力、電気料金または寿命をユーザに通知するように構成されている例を示したが、本発明はこれに限られない。本発明では、制御部は、複数の機能ブロックのそれぞれの使用状況情報に基づいて、機能ブロック毎の使用状況、消費電力、電気料金または寿命のうち少なくとも１つをユーザに通知するように構成されていればよい。
【０１５８】
また、上記第２実施形態では、所定の使用状況に該当する機能ブロックをユーザに操作させるための通知をＢＤレコーダ（電子機器）の起動時の待ち時間に行う構成の例を示したが、本発明はこれに限られない。本発明では、所定の使用状況に該当する機能ブロックをユーザに操作させるための通知を、たとえば、電子機器の待機状態中、使用状況情報が更新されたタイミング、使用状況情報が所定の分変動した場合、または、ユーザからの要求があった場合などのタイミングで行ってもよい。
【０１５９】
また、上記第２実施形態では、所定の使用状況に該当する機能ブロックをユーザに操作させるための通知を外部のＴＶ（表示装置）の表示部に表示する構成の例を示したが、本発明はこれに限られない。本発明では、所定の使用状況に該当する機能ブロックをユーザに操作させるための通知を、たとえば、電子機器の表示部に表示してもよいし、電子機器のスピーカから音声により通知してもよい。また、表示装置以外の他の外部の装置により通知してもよい。
【０１６０】
また、上記第２実施形態では、複数の機能ブロックのそれぞれの使用状態を蓄積した結果に基づく使用傾向、または、複数の機能ブロックのそれぞれの使用状態に関する使用状況情報に基づいて、所定の使用状況に該当する機能ブロックをユーザに操作させるための通知を行う構成の例を示したが、本発明はこれに限られない。本発明では、複数の機能ブロックのそれぞれの使用状態を蓄積した結果に基づく使用傾向、または、複数の機能ブロックのそれぞれの使用状態のうち少なくとも１つに関する使用状況情報に基づいて、所定の使用状況に該当する機能ブロックをユーザに操作させるための通知を行うように構成されていてもよい。
【０１６１】
また、上記第１および第２実施形態では、電子機器としてのＢＤレコーダが、機能ごとにブロック化された複数の機能ブロックを備える構成の例を示したが、本発明はこれに限られない。本発明では、電子機器は、１つの機能を複数の機能ブロックにより構成されていてもよいし、複数の機能を１つの機能ブロックにより構成されていてもよい。また、複数の機能がそれぞれ複数の機能ブロックにまたがって構成されていてもよい。
【０１６２】
また、上記第１および第２実施形態では、説明の便宜上、メインＭＣＵ（制御部）の処理動作を処理フローに沿って順番に処理を行うフロー駆動型のフローチャートを用いて説明したが、本発明はこれに限られない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１６３】
１  電源制御システム
２、３  ホストコンピュータ
１０  メインＭＣＵ（制御部）
１４  ＨＤＭＩブロック（機能ブロック）
１４ａ、１５ａ、１６ａ、３０ａ、４０ａ、５２ａ、５３ａ、５４ａ、６０ａ、７０ａ、８０ａ、８２ａ、９０ａ  電源スイッチ
１５、１６  ビデオブロック（機能ブロック）
１８  記憶部
３０  ＨＤＤ装置ブロック（機能ブロック）
４０  ＤＩＳＣ装置ブロック（機能ブロック）
５０  チューナブロック（機能ブロック）
５２  ＢＳブロック（機能ブロック）
５３  ＣＳブロック（機能ブロック）
５４  地上デジタルブロック（機能ブロック）
６０  ＣＥＣブロック（機能ブロック）
７０  イーサネット（登録商標）ブロック（機能ブロック、通信部）
８０  オーディオＤＡＣブロック（機能ブロック）
８２  ゲイン・フィルタブロック（機能ブロック）
９０、９１  ビデオブロック（機能ブロック）
１００  ＢＤレコーダ（電子機器）
１０２  サーバ
２００  ＴＶ（表示装置）
【図１】
2013210999.tif 000003
【図２】
2013210999.tif 000004
【図３】
2013210999.tif 000005
【図４】
2013210999.tif 000006
【図５】
2013210999.tif 000007
【図６】
2013210999.tif 000008
【図７】
2013210999.tif 000009
【図８】
2013210999.tif 000010
【図９】
2013210999.tif 000011
【図１０】
2013210999.tif 000012